(57)【要約】      （修正有）【課題】水の注入が容易に出来るが、水の外部への送出が出来ず、かつ内部に発生した蒸気の外部への送出ができ、これ等の機能を１つの単一のバルブの中で可能にした水注入蒸気送出バルブを提供する。【解決手段】水１６の充填を必要とする袋体１８には水注入蒸気送出バルブ１００が挿脱可能に取り付けられる。充填された水は水注入蒸気送出バルブ１００のバルブ本体１の板状逆止弁６により外部送出が防止され、袋体１８の内部で発生した蒸気は挿脱式バルブ体２のフィルタ１３等を介して容易に外部に送出される。【選択図】図１
2012026515.tif 000002
【特許請求の範囲】
【請求項１】
水の注入される空間部を内部に形成する密閉体に取り付けられ、水の送出を防止する逆止弁的の機能と蒸気のみの送出を可能とする機能とを一体的に形成してなるバルブであって、該バルブは前記密閉体に係着固定され内部に穴を有し前記穴の底面側に水注入方向にのみ開口する小孔付の板状逆止弁を有するバルブ本体と、該バルブ本体の前記穴に挿脱される外径を有する円筒体であってその内部に形成される穴は開口部と閉止部とを形成し該閉止部に小孔を形成してなる挿脱式バルブ体と、該挿脱式バルブ体の前記閉止部の表面に当接して着脱可能に挿設されるフィルタと、該フィルタを前記穴内に保持すべく前記穴内に挿脱可能に挿入され中央に貫通孔を形成してなるフィルタ挿え具とを有することを特徴とする水注入蒸気送出式バルブ。
【請求項２】
前記挿脱式バルブ体は、前記バルブ本体にフレキシブル部材を介して連結されると共に開口用の把持部を形成するものからなることを特徴とする請求項１に記載の水注入蒸気送出式バルブ。
【請求項３】
前記フィルタが水の通過を遮断すると共に蒸気の通過を可能とする部材からなることを特徴とする請求項１に記載の水注入蒸気送出式バルブ。
【請求項４】
前記フィルタの部材がゴアテックス（登録商標）であることを特徴とする請求項３に記載の水注入蒸気送出式バルブ。
【発明の詳細な説明】
【技術分野】
【０００１】
本発明は、例えば内部に水等を充填する空間部を有する密閉体に設けられるバルブに係り、特に水等の注入が容易であるが注入された水等の送出が出来ず、水等からの蒸気の送出が可能な水注入蒸気送出バルブに関する。
【背景技術】
【０００２】
バルブとしては極めて多くの種類のものがあるが、水等の注入が容易であるが水等の送出ができず、水等の加熱によって生ずる蒸気の送出ができ、水等の充填されている空間部の圧力上昇がなく、長期間使用されるバルブは出願人の調査によると見当らない。
なお、これに類する公知技術として例えば「特許文献１」が挙げられる。
【先行技術文献】
【特許文献】
【０００３】
【特許文献１】特開平９−１１７５９９号（図１）
【発明の概要】
【発明が解決しようとする課題】
【０００４】
「特許文献１」の「特開平９−１１７５９９号」の「蒸気アイロン装置」は蒸気アイロン内に水を供給するバルブ状のロータリーアクチュエータを有するものであり、更に蒸気アイロンの内部に連通して内部の蒸気を噴出する蒸気噴出口を有するものであり、後に説明する本発明とは目的において相違するものであるが、機能として共通するものを有する公知技術である。しかしながら、本発明の１つのまとまったバルブの形態のものからなり、その一体的構造の中で水の注入と水の送出の遮断機能を有すると共に蒸気の送出のみを可能とする特別の構造を有するものであり、公知技術とは大きく相違するものである。
【０００５】
例えば、雑草を枯らすために使用する密閉体の１つである除草用袋体にはその内部に水を充填する空間部が形成される。この空間部に水を充填するためにはバルブが必要であり、このバルブは水の逆流を防止する逆止弁的構造のものが必要である。一方、除草用袋体は太陽光等により加熱されるため、内部の水からは蒸気が発生する。この蒸気を外部に送出させないと空間部の圧力が上昇し、除草用袋体を破壊する問題が生ずる。よって、この除草用袋体に設けられるバルブは水の注入が可能であるが水の送出は出来ず、更に蒸気のみの送出が可能である構造及び機能を有するものが必要となる。
【０００６】
本発明は、以上の要請に基づいて発明されたものであり、水の注入が容易に出来るが、水の外部への送出が出来ず、かつ内部に発生した蒸気の外部への送出ができ、これ等の機能を１つの単一のバルブの中で可能にした水注入蒸気送出バルブを提供することを目的とする。
【課題を解決するための手段】
【０００７】
本発明は、以上の目的を達成するために、請求項１の発明は、水の注入される空間部を内部に形成する密閉体に取り付けられ、水の送出を防止する逆止弁的の機能と蒸気のみの送出を可能とする機能とを一体的に形成してなるバルブであって、該バルブは前記密閉体に係着固定され内部に穴を有し前記穴の底面側に水注入方向にのみ開口する小孔付の板状逆止弁を有するバルブ本体と、該バルブ本体の前記穴に挿脱される外径を有する円筒体であってその内部に形成される穴は開口部と閉止部とを形成し該閉止部に小孔を形成してなる挿脱式バルブ体と、該挿脱式バルブ体の前記閉止部の表面に当接して着脱可能に挿設されるフィルタと、該フィルタを前記穴内に保持すべく前記穴内に挿脱可能に挿入され中央に貫通孔を形成してなるフィルタ挿え具とを有することを特徴とする。
【０００８】
また、請求項２の発明は、前記挿脱式バルブ体は、前記バルブ本体にフレキシブル部材を介して連結されると共に開口用の把持部を形成するものからなることを特徴とする。
【０００９】
また、請求項３の発明は、前記フィルタが水の通過を遮断すると共に蒸気の通過を可能とする部材からなることを特徴とする。
【００１０】
また、請求項４の発明は、前記フィルタの部材がゴアテックス（登録商標）であることを特徴とする。
【発明の効果】
【００１１】
本発明の請求項１の水注入蒸気送出バルブによれば、挿脱式バルブ体をバルブ本体から外すことにより、水はバルブ本体の貫通孔から注入されるがバルブ本体には板状逆止弁があるため注入された水の逆行は出来ず外部への送出は防止される。水を注入した後、挿脱式バルブ体をバルブ本体に挿設（嵌め込む）することによりバルブ本体の穴が閉止されるが内部の蒸気は挿脱用バルブ体のフィルタを介して外部に送出されフィルタ挿え具の貫通孔から送られる。以上の構造により、水の送出が防止され蒸気のみの送出が可能になる効果が上げられる。
【００１２】
また、本発明の請求項２の水注入蒸気送出バルブによれば、挿脱式バルブ体をバルブ本体にフレキシブル部材を介して連結することにより挿脱式バルブ体のバルブ本体への挿脱が容易に行われ、かつ挿脱式バルブ体の紛失が防止される。
【００１３】
また、本発明の請求項３及び４の水注入蒸気送出バルブによれば、このフィルタが水の送出は出来ないが蒸気の送出ができる例えばゴアテックス（登録商標）のような特性を有するものから形成されることにより本発明のバルブの機能を十分に果すことができる。
【図面の簡単な説明】
【００１４】
【図１】本発明の水注入蒸気送出バルブの全体構造を示す軸断面図。
【図２】図１の上面図。
【図３】挿脱式バルブ体をバルブ本体から取り外した状態を示す上面図。
【発明を実施するための形態】
【００１５】
以下、本発明の水注入蒸気送出バルブの実施の形態を図面を参照して詳述する。
【実施例１】
【００１６】
図１は水１６の充填される空間部１７を有する袋体１８に本発明の水注入蒸気送出バルブ１００を係着固持した状態を示すが、本発明の水注入蒸気送出バルブ１００はこの実施例のような用途に限定するものではない。
【００１７】
本発明の水注入蒸気送出バルブ１００は、大別して次の構成要素からなる。まず、袋体１８に係着固持されるバルブ本体１とこれに挿脱可能に挿設される挿脱式バルブ体２とからなり、本実施例では挿脱式バルブ体２はバルブ本体１にフレキシブル部材１９により連結されると共に図２に示すように挿脱式バルブ体を挿脱するための把持部２０が設けられているが、勿論これに限定するものではない。
【００１８】
バルブ本体１は、図１乃至図３に示すように丸型のものからなり、図の上面側に鍔部３とこの下面に連設される縮径部４と更にその下面に形成される係着部５とこの係着部５に一側面側を一体的に固定されて他側面側を係着部５から離脱している板状逆止弁６を形成するものからなり、内部には板状逆止弁６とほぼ同一の内径の小孔７を形成するものからなる。また、板状逆止弁６の中心には小孔７が形成されている。なお、図１に示すように鍔部３と係着部５との間には袋体１８が嵌り込み縮径部４により保持される。
【００１９】
挿脱式バルブ体２は、バルブ本体１の小孔７に挿脱可能な外径の円筒体８からなり円筒体８は本実施例ではフレキシプル部材１９に一体的に取り付けられ、フレキシブル部材１９の下面から突出して形成されている。なお、この円筒体８には穴９が形成され、穴９は図の上方側に開口部１０を形成し下方（底面）側に閉止部１１を形成するものからなる。なお、この閉止部１１の中心には小孔１２が設けられている。
【００２０】
穴９には本実施例ではゴアテックス（登録商標）からなるフィルタ１３が閉止部１１の上面に当接して配設されている。なお、このフィルタ１３は円形状で薄肉のものからなる。また、穴９にはフィルタ挿え具１４が挿脱可能に挿入され、フィルタ挿え具１４の下面はフィルタ１３の上面に当接して配置される。このフィルタ挿え具１４のリング状のもので中央に貫通孔１５を形成するものからなる。
【００２１】
本実施例では、フィルタ１３はゴアテックス（登録商標）からなる。このゴアテックスはアメリカのＷＬゴア＆アソシエイツ社の製造販売による防水透湿性のものでこの名前は登録商標である。具体的にはポリテトラフルオロエチレンを延伸加工したフィルムとポリウレタンポリマーを複合化したものからなる。なお、１ｍ２に１４億の微細な孔が形成される。その機能として蒸気は通すが水は通さない性質のものからなる。
なお、この詳細内容はホームページ等に掲載されている。
【００２２】
次に、この水注入蒸気送出バルブ１００の使用方法やその作用を図１等により説明する。
まず、袋１８にバルブ本体１を係着固定する。これによりフレキシブル部材１９を介しての挿脱式バルブ体２もセットされる。水を注入する場合には挿脱式バルブ体２を図１に示すようにバルブ本体１から脱した状態で行う。水１６が袋体１８の空間部１７に充填されたら挿脱式バルブ体２をバルブ本体１内に挿入して取り付け作業を終了する。
【００２３】
袋体１８がその目的の場所に置かれ、太陽光等により加熱されると袋体１８及び袋体１８内の水１６が加熱され水１６から蒸気に発生する。なお、袋体１８内の水１６そのものは水注入蒸気送出バルブ１００から外部に排出しようとしてもバルブ本体１に設けられている板状逆止弁８により逆流が防止されて送出されない。
【００２４】
袋体１８内に発生した蒸気は、まずバルブ本体１の板状逆止弁６の小孔７から抜け出し、挿脱式バルブ体２の閉止部１１の小孔１２を通ってフィルタ１３に当る。フィルタ１３はゴアテックス（登録商標）からなるため蒸気はフィルタ１３を通過して円筒体８の穴９から外部に放出されて送出される。
【００２５】
袋体１８を収納する場合には水注入蒸気送出バルブ１００を袋体１８から取り外すことにより容易に行われる。
以上のように、水注入蒸気送出バルブ１００は水１６の逆流による送出が完全に防止されると共に蒸気が円滑に外部に送出されるため、常に袋体１６    常圧の状態で保持され、その使用目的を達成することができ、勿論破壊等も生じない。
また、フィルタ１３は交換が容易にできるため、取折交換することにより水注入蒸気送出バルブ１００は本来の機能を常に発揮することができる。また、挿脱式バルブ体２のバルブ本体１への挿脱はフレキシブル部材１９の把持部２０により容易に行われる。
【００２６】
本発明の水注入蒸気送出バルブ１００は以上の構造及び作用からなるが、本発明の水注入蒸気送出バルブ１００の内容は以上の説明に限定されるものではなく、同一技術的範疇のものが適用されることは勿論である。
【産業上の利用可能性】
【００２７】
本発明の水注入蒸気送出バルブ１００は前記の説明のように、例えば袋体１６に使用されたものとして説明したが、水の充填を必要として水が加熱される部材のすべてに適用可能でありその利用範囲は極めて広い。また、水注入蒸気送出バルブ１００は樹脂製のものが主体でありその製作も容易であり、安価に製作可能である。また、フィルタも公知のもので容易に、かつ安価に入手可能である。
【符号の説明】
【００２８】
１      バルブ本体
２      挿脱式バルブ体
３      鍔部
４      縮径部
５      係着部
６      板状逆止弁
７      小孔
８      円筒体
９      穴
１０    開口部
１１    閉止部
１２    小孔
１３    フィルタ
１４    フィルタ挿え具
１５    貫通孔
１６    水
１７    空間部
１８    袋体
１９    フレキシブル部材
２０    把持部
１００  水注入蒸気送出バルブ
【図１】
2012026515.tif 000003
【図２】
2012026515.tif 000004
【図３】
2012026515.tif 000005